(57)【要約】  【課題】リンカ分子やアプタマーによりターゲットとする分子やナノ粒子を化学的な結合を利用して選択的に捕捉して計測するのではなく、増強された電磁場ホットスポットに分子や発光ナノ粒子が入った際に、個々のホットスポットで物理的にラマン散乱シグナルや発光シグナルを検出する。  【解決手段】同じ形状かつ同じ電磁場増強効果を持つ金属ナノ構造体を２次元的に周期的に配列することで、電磁場ホットスポットの２次元アレイを構成し、レーザービームや試料ステージを走査しながら各ホットスポットのスペクトルを計測しターゲット分子の検出を行い、溶液中の分子の検出や複数の分子の存在比率を得る。【選択図】図３
2014092388.tif 000002
【特許請求の範囲】
【請求項１】
電磁場増強特性が実質的に同一であるとともに、実質的に同一の形状を有する複数のナノ構造物を、これらのナノ構造物からの光を互いに分離して観測可能な間隔で配置した、アレイ型センサー。
【請求項２】
前記複数のナノ構造物の各々は、所定の形状を有する金属のドットの対を電磁場増強特性が発現するギャップを介して対向させたものである、請求項１に記載のアレイ型センサー。
【請求項３】
前記複数のナノ構造物は、前記ドットの形状、サイズ、及びギャップが±５ｎｍの誤差範囲内に入る、請求項２に記載のアレイ型センサー。
【請求項４】
前記複数のナノ構造物はＡｕからなる、請求項１から３の何れかに記載のアレイ型センサー。
【請求項５】
前記複数のナノ構造物の配置の間隔は前記光の回折限界よりも大きい、請求項１から４の何れかに記載のアレイ型センサー。
【請求項６】
前記複数のナノ構造物は基板上に一次元あるいは二次元状に配置される、請求項１から５の何れかに記載のアレイ型センサー。
【請求項７】
前記基板は誘電体からなる、請求項６に記載のアレイ型センサー。
【請求項８】
前記複数のナノ構造物は前記基板から垂直方向に離間して配置される、請求項７に記載のアレイ型センサー。
【請求項９】
前記垂直方向の離間の距離は前記複数のナノ構造物のサイズ以上である、請求項８に記載のアレイ型センサー。
【請求項１０】
前記複数のナノ構造物は周期的に配置されている、請求項１から９の何れかに記載のアレイ型センサー。
【請求項１１】
前記複数のナノ構造物の配置の間隔は前記複数のナノ構造物の各々から輻射される電磁波が互いに干渉して強め合う距離である、請求項１から１０の何れかに記載のアレイ型センサー。
【請求項１２】
請求項１から１１の何れかに記載のアレイ型センサーに測定対象の試料を与えた状態で、前記複数のナノ構造物に順次光を照射し、前記複数のナノ構造物からの光信号をスペクトル計測する、アレイ型センサーを用いた測定方法。
【請求項１３】
前記光はレーザー光である、請求項１２に記載のアレイ型センサーをもちいた測定方法。
【請求項１４】
請求項１から１１の何れかに記載のアレイ型センサーと、
前記アレイ型センサーの前記複数のナノ構造物に順次励起光を与えるレーザー光源と、
前記レーザー光源からの励起光を前記複数のナノ構造物に順次照射するための位置決めを行う機構と、
前記複数のナノ構造物からの光信号を受け取る光学系と、
前記光学系からの前記光信号をスペクトル計測して記録する分光計測系と
を設けた測定装置。
【発明の詳細な説明】
【技術分野】
【０００１】
本発明は、ラマン散乱および蛍光シグナルを増強する電磁場増強作用を持つナノ構造物を配置したアレイ型センサーに関する。本発明はまた、可視から近赤外帯域の波長を持つレーザーの電磁場をナノスケールに集中させ、このアレイ型センサーにレーザービームを走査し、個々のナノ構造物近傍に存在する分子のシグナルを個別に計測し識別する測定方法、及びこの測定を行う測定装置に関する。
【背景技術】
【０００２】
表面増強ラマン散乱（Surface Enhanced Raman Scattering：ＳＥＲＳ）、表面増強赤外吸収（Surface Enhanced Infrared Absorption：ＳＥＩＲＡ）や表面プラズモン励起増強蛍光分光（Surface Plasmon-field enhanced Fluorescence Spectroscopy：ＳＰＦＳ）は、高感度かつ簡便な化学センサー・バイオセンサーに応用できる現象として、精力的な研究が行われている。特にＳＥＲＳセンサーやＳＥＩＲＡセンサーは表面プラズモン共鳴（Surface Plasmon Resonance：ＳＰＲ）センサーなどの誘電センサーや抵抗測定型のガスセンサーなどとは異なり、分子振動によるシグナルを計測でき、そのスペクトルから詳細な情報を得ることが可能である。これらのセンサーは、生体分子、環境汚染物質などの検出のみに留まらず、分子種の同定や分子構造変化のモニタリングに威力を発揮する。ＳＥＲＳ測定に可視光や近赤外光を用いる場合には、水分子による吸収が小さいため、水中でレーザー光を照射しながら「その場」で簡便に分子をモニターすることが可能である。一方ＳＥＩＲＡ効果の場合には全反射減衰光学系を用いるなどの工夫を加えることで水中にとけた微量分子の計測が可能となる（非特許文献２）。
【０００３】
例えばＳＥＲＳ効果によるラマンセンサー材料の例としては、ガラスやシリコンなどの誘電体表面に金属ナノ粒子を担持させたもの、真空蒸着により島状の金属を２次元的に分布させたもの、表面粗さを意図的に持たせた２次元金属膜、ナノスケール、ミクロンスケールの構造を持った金属ナノロッドのアレイなどが存在する。これらのセンサー材料のシグナル増強効果は、表面プラズモンが金属構造物により閉じ込められて共鳴的に励起され、金属構造物表面の近接場が入射光による電磁場に比べて格段に増強される効果を利用している。ラマン散乱の強度は分子位置での電磁場強度の４乗に比例するとされ（非特許文献１）、近接場による増強効果がその感度と性能を大きく左右する。また、検出される分子は増強近接場の生じるナノスケール領域（ホットスポット、ホットサイト）に存在するごく少量の分子である。
【０００４】
一般的なラマンセンサー材料においては、増強近接場を生じる構造物がマクロスケールにわたって高密度（光の波長以下の間隔）で分布しているため、光学的手法で計測されるシグナルもマクロスケールの平均情報となる。従って、溶液に複数の分子が存在する場合にはそれらに由来するシグナルが混ざって観測されるので、分子種の同定などは難しくなる。
【０００５】
また、共焦点顕微鏡等を用いて一個あるいは数個の構造物からのシグナルを計測する場合でも、センサー上に分布している複数の構造物の形状は互いに同一ではなく多形であるため、電磁場増強の度合いは場所毎に異なる。そのため、有効なホットスポットを計測しているかどうかの保証はなく、また、計測スポット毎の増強の条件が同じである保証もない。
【０００６】
一般に行われるＳＥＲＳ計測では、（１）計測対象を含む溶液をＳＥＲＳセンサー材料に少量滴下し、乾燥後にＳＥＲＳ材料表面上で多層膜として堆積した分子のラマン測定を行う、（２）金属構造物上に、計測したい分子やタンパク質に対する吸着選択性を持たせた親和性分子（リンカー分子、アプタマーなど）を被覆し、溶液中で計測対象としたい分子をＳＥＲＳ材料表面へ捕捉し水中で単分子膜のＳＥＲＳ計測を行う、等の方法がある。しかし、これらのいずれの方法の場合にも、複数分子種を含む溶液の中に含まれる成分分子の同定とその定量は難しい。なぜならば前者（１）の場合には、全ての分子の振動シグナルが重畳してしまうために、上述したように分子種の同定が困難となるからである。つまり、従来技術によるＳＥＲＳ材料を用いる際には（あるいは溶液中にＳＥＲＳ増強粒子を分散したコロイド溶液などを用いることもある）、ホットスポットの形状・大きさはランダムで、その位置も偶発的に生成したものとなり、シグナル発生の位置と強度とが良く規定されたものにはならならない。このため、溶液中に複数の分子が存在する場合、分子の同定が困難になり、計測した分子の量についての情報を得ることも難しい。また後者（２）の場合には分子種の同定はできるが、特定の一種類の特定分子の検出しかできない。
【発明の概要】
【発明が解決しようとする課題】
【０００７】
本発明では、ナノスケール空間の電磁場の増幅機能を持つ構造物を並べたアレイ型センサーを実現し、例えば溶液中に存在する複数種類の分子種の同定とその定量を一回の測定で簡便に行える計測手法を提供することを目的とする。
【課題を解決するための手段】
【０００８】
本発明の一側面によれば電磁場増強特性が実質的に同一であるとともに、実質的に同一の形状を有する複数のナノ構造物を、これらのナノ構造物からの光を互いに分離して観測可能な間隔で配置した、アレイ型センサーが与えられる。
ここで、前記複数のナノ構造物の各々は、所定の形状を有する金属のドットの対を電磁場増強特性が発現するギャップを介して対向させたものであってよい。
また、前記複数のナノ構造物は、前記ドットの形状、サイズ、及びギャップが±５ｎｍの誤差範囲内に入ってよい。
また、前記複数のナノ構造物はＡｕからなってよい。
また、前記複数のナノ構造物の配置の間隔は前記光の回折限界よりも大きくしてよい。
また、前記複数のナノ構造物は基板上に一次元あるいは二次元状に配置されてよい。
また、前記基板は誘電体からなってよい。
また、前記複数のナノ構造物は前記基板から垂直方向に離間して配置されてよい。
また、前記垂直方向の離間の距離は前記複数のナノ構造物のサイズ以上であってよい。
また、前記複数のナノ構造物は周期的に配置されていてよい。
また、前記複数のナノ構造物の配置の間隔は前記複数のナノ構造物の各々から輻射される電磁波が互いに干渉して強め合う距離であってよい。
本発明の他の側面によれば、上記の何れかのアレイ型センサーに測定対象の試料を与えた状態で、前記複数のナノ構造物に順次光を照射し、前記複数のナノ構造物からの光信号をスペクトル計測する、アレイ型センサーを用いた測定方法が与えられる。
ここで、前記光はレーザー光であってよい。
本発明の更に他の側面によれば、上記何れかのアレイ型センサーと、前記アレイ型センサーの前記複数のナノ構造物に順次励起光を与えるレーザー光源と、前記レーザー光源からの励起光を前記複数のナノ構造物に順次照射するための位置決めを行う機構と、前記複数のナノ構造物からの光信号を受け取る光学系と、前記光学系からの前記光信号をスペクトル計測して記録する分光計測系とを設けた測定装置が与えられる。
【発明の効果】
【０００９】
本発明によれば、特性の揃ったホットスポットからのシグナルを個別に観測することができる構造のアレイ型センサーが提供されるので、多様な分子種の同定やその定量的な測定等を容易に実現することができる。
【図面の簡単な説明】
【００１０】
【図１】本発明の実施例における、可視帯域の電磁場増強作用を持つ２つの金属ドットからなる光学ナノアンテナの構成例を示す概略図。
【図２】本発明の実施例における、可視帯域の電磁場増強作用を持つ２つの金属ドットからなる光学ナノアンテナの断面図と数値計算により計算された電磁場の分布を示す図。
【図３】本発明の実施例における、可視帯域の電磁場増強作用を持つ２つの金属ドットからなる光学ナノアンテナのアレイの走査電子顕微鏡写真。（ａ）及び（ｂ）電子線を表面法線方向から４５°傾斜した方向から入射した場合。（ｃ）電子線を表面法線方向から入射した場合。
【図４】（ａ）本発明の実施例における、可視帯域の電磁場増強作用を持つ２つの金属ドットからなる単一の光学ナノアンテナからの散乱スペクトルを示す図。（ｂ）波長６５０ｎｍにおける暗視野顕微鏡像。
【図５】本発明の実施例における、可視帯域の電磁場増強作用を持つ２つの金属ドットからなる単一の光学ナノアンテナからの消光スペクトルを示す図。図１のｘ方向の偏向光とｙ方向の偏向光を入射しそれぞれのスペクトルを計算によって求めた。
【図６】（ａ）本発明のラマン散乱分光の実施例において用いたＤＴＴＣＩ分子の構造式を示す図。（ｂ）本発明の実施例において、ＤＴＴＣＩ分子を用いて計測したラマン散乱スペクトルを示す図。（ｃ）図６（ｂ）において灰色の部分のスペクトル範囲（１２１０ｃｍ−１〜１３８０ｃｍ−１）の積分強度を２次元表示したラマン散乱のマッピングイメージ。
【図７】（ａ）本発明のラマン散乱分光の実施例において用いたRhodamine 6G分子の構造式を示す図。（ｂ）本発明の実施例において、Rhodamine 6G分子の振動（１３００ｃｍ−１〜１３７０ｃｍ−１）のラマン散乱強度（積分強度）を２次元表示したマッピングイメージ。（ｃ）本発明の実施例において、下地結晶シリコンの振動（５２０ｃｍ−１）のラマン散乱強度を２次元表示したマッピングイメージ。
【図８】本発明の測定装置の一実施例の構成を示す概念図。
【発明を実施するための形態】
【００１１】
上述した課題を達成するために、本発明の位置実施例においては以下の様なデバイスを提供する。まず、同じ形状を持ち電磁場増強特性のそろったＳＥＲＳ活性を持つナノ構造物（以下、光学ナノアンテナと呼ぶ）を多数（数百個程度以上）２次元的に配置する。これらの光学ナノアンテナ同士の間隔は光学顕微鏡の分解能（光の回折限界）よりも十分大きな距離をもたせ（例えば２μｍ程度）、隣り合ったアンテナからのシグナルが重ならないようにする。そして、共焦点ラマン顕微鏡を用いてレーザービームを走査あるいは試料ステージを走査しながら個々の光学ナノアンテナのホットスポットにおいて個別にＳＥＲＳ測定を行う。これにより、光学ナノアンテナの増強電磁場のホットスポット（ホットサイト）に分子が入った際の分子振動のシグナルが増強ラマンシグナルとして分光器に記録される。また、ホットスポットに分子がない場合にはそこからのシグナルは計測されない。このような個々の光学ナノアンテナに対するラマン計測をアレイ内のすべてのアンテナに対して行い、それぞれのアンテナのラマンスペクトルの計測を通して、ホットスポットに滞在した分子種を同定する。本発明では光学ナノアンテナを化学修飾せずに用い、計測する分子が溶液中をランダムに拡散し、高々一個程度の分子が光学ナノアンテナのホットスポットに偶然入ることを利用する。また、ホットスポットに留まる分子は化学吸着により固定化されるのではなく、通過する、あるいは弱く吸着した状態にある。このようにして各光学ナノアンテナにて検知された分子種の情報を個々の光学ナノアンテナから集めて集計し、検出した分子種のヒストグラムを得ることができる。従って溶液中に存在する分子の種類を同定できるだけでなく、その存在比率を得ることもできる。例えば、一個のアンテナの計測時間が数秒のオーダーである場合、全てのアンテナの計測は数十分程度のオーダーで完了できる。
【００１２】
本発明で用いる光学ナノアンテナアレイはガラスやシリコン基板などの誘電体基板上に形成され、規則的に配列させたナノスケールの金属構造物からなる。用いるレーザー光源の周波数と構造物のアンテナ共鳴の周波数とが一致する様にその形状や大きさが設計されている。アレイの中の各構造物のサイズ及び形状は互いに実質的に同一であり、同じ共鳴周波数を持つように精密に製作されている。このように、形状及びサイズを複数の光学ナノアンテナ間で一致させることにより、単に測定対象の分子や粒子が光学ナノアンテナのホットスポットに存在する場合に得られるシグナルが光学ナノアンテナ間で同じになるだけではなく、これらの分子や粒子がホットスポットに存在する確率も光学ナノアンテナ間で同一となる。従って、分子や粒子の定量的な測定を容易に行うことが可能となる。
【００１３】
図１の例では、シリコンウエハの下地ＳｉＯ２のポストが２本形成され、その上にウエハ垂直方向から見て三角形をした厚さ２０ｎｍのＡｕのナノドットが厚さ５ｎｍのＣｒの接着層を介して形成されている。Ａｕナノ構造をシリコンから離すことでシリコンからの誘電遮蔽の効果を弱めることができ、Ａｕナノドット近傍の電場増強効果を高めることができる。つまり、誘電率の高いシリコンがＡｕの直下にある場合、Ａｕ近傍の電場の大半が下地のシリコンの中に吸い込まれるため（非特許文献３、４）、センシングに有効な上側の部分の電場の強度が弱まってしまう。Ａｕ構造物をシリコンから浮かすことで、この様なシリコンからの遮蔽効果を弱める事ができる。なお、Ａｕ構造物をシリコンから浮かせる距離（離間距離）は、この三角形のＡｕナノドット（Ａｕ構造物）がシリコン表面に対して平行な方向に広がっているサイズ程度（図１の例の場合は、好ましい離間距離は三角形の辺の長さである１００ｎｍ程度以上）であれば、当該遮蔽効果の悪影響を十分に低減することができる。一方で、Ａｕ構造物を浮かせることで、構造物から輻射される電磁場の及ぶ範囲が拡大し、構造物からの電磁場の干渉効果が生じる。この干渉効果が強めあう間隔でＡｕナノ構造を周期的に配列することにより、各光学ナノアンテナ近傍の電磁場増強効果を高めることが可能である（非特許文献４、５）。
【００１４】
図２は、図１のＡｕナノ構造の電場分布をＦＤＴＤ法（Finite-difference time-domain method; FDTD method）を用いてシミュレーションした結果を示したものである。６４０ｎｍの平面波をＡｕドットの上側から照射した場合の電場分布を、下地基板に対して垂直方向の断面をとって示したものである。Ａｕドット対の中心部分であるナノギャップの部分に入射電場の９０倍の振幅を持つ電場が発生していることが分かる。この増強された電場の中に観測対象である有機分子等が入ることにより、ラマン散乱のシグナルやフォトルミネッセンスのシグナルの増強効果が期待できる。
【００１５】
なお、図１の例では光学ナノアンテナの形状はほぼ正三角形としたが、好ましい形状はこの正三角形に限定されるものではなく、多様な変形が可能である。具体的にはナノ構造物の尖った箇所同士が近接して対抗している形状が好ましい。逆に一対の三角形の辺同士が近接して向かい合っている構成では電磁場増強効果が弱い。
【００１６】
また、ナノ構造物のサイズ、形状、配置、またナノ構造物同士の間隔について、これらが実質的に同一であるとみなせる範囲は、共鳴周波数などによっても影響を受けるが、寸法精度が±５ｎｍ以内であればよい。より好ましくはこれらの寸法精度は±３ｎｍ以内である。
【００１７】
短時間で溶液中の複数種類の分子の検出ができれば、例えば血液の成分の分析や尿検査などに応用し、進行の早い疾病に対する早期の医療診断などへの応用が可能である。リンカ分子の親和性を用いた多くの検査チップの様に特定の分子の検出ではなく、振動スペクトルで識別可能な物質であれば原則的に検出が可能であり、光計測のみによる単純な検査チップが実現する。また、リンカ分子とターゲット分子の吸着が必要ないため、再利用可能な検査チップとしての利用も見込める。応用分野としては湖沼などの環境水中の汚染物質、化学反応時における溶液中の生成物、食品の成分のモニターなどへの応用も可能であり、溶液中の分子の計測が必要な広い分野での応用が可能である。
【実施例】
【００１８】
図３は製作された三角形Ａｕナノドット対（Bowtie antennaとも呼ぶ）のアレイの走査電子顕微鏡写真である。Ａｕドット対のサイズ形状は寸法精度で±５％の誤差範囲でほぼ同じであり、ナノギャップの幅は１５ｎｍ±３ｎｍであるように、リソグラフィーを用いて作成した。このため、各ドット対の中心部における電場増強度も各Ａｕドット対間でほぼ同程度と考えて良い。この結果は、ほぼ等しい電磁場のホットスポットが規則的に配列できていることを意味する。このような電磁場ホットスポットに分子が入るとホットスポットに存在しない場合に比べてラマン散乱シグナルが増大することが期待できる。また、微粒子のフォトルミネッセンスや蛍光のシグナル増大も期待できる。このように各ホットスポットで増強されたシグナルを計測することで、溶液中に存在している分子や微粒子の種類を知ることができる。また、計測した結果を集計することで存在する分子や粒子のヒストグラムを作成することが可能であり、溶液中の成分分子や粒子の分布に関する情報を得ることができる。このような情報は湖沼などの環境水の汚染、血液成分の分析などに応用することで医療診断に利用できると考えられる。
【００１９】
なお、図３の（ａ）及び（ｂ）ではＡｕナノドットが三角形ではなく、キノコに類似した形状であるかのように見える（特に図３（ｂ））。これは、これらの写真では電子線を斜め方向から照射しているためである。
【００２０】
図４（ａ）は白色光を照射した際のホットスポットからの散乱光のスペクトルである。暗視野顕微鏡を用い、白色光を図３のＡｕドット対の一つに焦点を合わせて照射し、単一Ａｕドット対からの散乱光をレンズと光ファイバーを通して分光器に導入し、スペクトルを得たものである。参照スペクトルはＡｕドット対構造の無い平坦なＳｉ下地を計測して得、その後Ａｕドット対を計測して得たスペクトルを参照スペクトルで割る（つまり、相対スペクトルを計算する）ことで、下地と光源からの情報を除外しＡｕドット対のみに起因する散乱スペクトルを抽出した。Ａｕドット対のプラズモン共鳴周波数と考えられる６４０ｎｍ近辺にピークを持つ散乱スペクトルが得られた。図４（ｂ）に各点におけるスペクトルの６４０ｎｍ近傍の部分（灰色部分）の積分強度を二次元的に描かせたマッピング測定の結果を示す。６４０ｎｍの散乱光に対応する強度は周期的に配列しており、ホットスポットの位置で強度が最大になっていることが分かる。図５は厳密結合波解析法（Rigorous Coupled Wave Analysis method）を用いて電磁場計算したＡｕドット対の消光スペクトルであり、Ａｕドット対の長手方向と短手方向のそれぞれの方向に電場成分を持つ光を照射した際のスペクトルを示している。実験では無偏向の入射光を用いており、得られたスペクトルは計算された両方のスペクトルを合わせたものに近い。計測されたスペクトルは単一Ａｕドット対からのスペクトルを良く再現している。
【００２１】
このホットスポットからのラマン散乱スペクトルを計測するために、図６（ａ）の構造式で示される3,3′-Diethylthiatricarbocyanine iodide（ＤＴＴＣＩ）分子を３００ｎＭ溶液となる様にエタノールに溶解し、アレイ上に塗布した後、乾燥後にスペクトル計測を行った。ホットスポットにおける典型的なラマン散乱スペクトルを図６（ｂ）に示す。ＤＴＴＣＩ分子のラマンスペクトルが明瞭に観測されている。また、このラマンスペクトルの灰色の部分に対応する積分強度をマッピングしたものを図６（ｃ）に示す。各ホットスポットに対応する位置にラマンシグナルが明瞭に得られている。ラマンシグナルが無いホットスポットも観測されており、分子がこの部分には吸着していないと考えられる。
【００２２】
また、検出対象をRhodamine 6G分子（構造式は図７（ａ））として行った同様な計測結果を図７に示す。ＤＴＴＣＩ分子と同様にしてRhodamine 6G分子の溶液をアレイ上に塗布し乾燥させた後、スペクトル計測を行った。図７（ｂ）は、その結果得られたところの、ホットスポットにおけるRhodamine 6G分子の振動（１３００ｃｍ−１〜１３７０ｃｍ−１）のラマン散乱強度（積分強度）を２次元表示したマッピングイメージである。また、図７（ｃ）には下地結晶シリコンの振動（５２０ｃｍ−１）のラマン散乱強度を２次元表示したマッピングイメージを示す。検出対象の分子がホットスポット上で選択的に検出できることが示されている。
【００２３】
図６、図７に例示したような計測は、例えば図８に構成の概念図を示す測定装置を使用して、レーザー光源からのレーザービームを走査しながら、あるいはアレイセンサーを置いた試料ステージを走査しながら各ホットスポットに集光させたビームを照射し、そこからのラマン散乱光などの光信号を対物レンズ、フィルタ、分光器を介して検出器に導くことで、各ホットスポットにおいてスペクトル計測を行うことで実現できる。このようにして微量のターゲット分子の検出、あるいは複数分子種の同定と存在比率・ヒストグラムを得ることができると考えられる。また、分子を発光ナノ粒子などに置き換えることで、フォトルミネッセンスのスペクトルを計測し、これを粒子の種類の同定に用いることもできる。さらに進めて、（光学ナノアンテナではなく）発光粒子表面を検出したい分子を捕捉するアプタマーで修飾することなどで、ターゲット分子を捕捉した粒子の検出を通してターゲット分子を間接的に検出する方法も可能である。
【産業上の利用可能性】
【００２４】
本発明では電磁場を増強するナノ構造をアレイ化することで、目的とする分子や粒子を個々のホットスポットで増強して検出することができる。よく規定されたホットスポットを周期的に配置しアレイ化し、溶液中で偶発的にホットスポットに入った際に生じる増強シグナルを識別することが可能となる。アプタマーやリンカ分子を用いて計測対象となる分子やナノ粒子を化学的に補足したうえで計測する方法ではなく、計測の対象物のサイズがナノギャップに入るサイズであれさえすれば良く、適用できる応用範囲は広い。低濃度の場合にターゲット分子や発光ナノ粒子一個一個を個々のホットスポットにおいて検出すれば、ターゲット分子の液体中の存在比率やヒストグラムを得ることも可能となる。この計測法を湖沼などの環境水や産業用水の排水のモニタリングなどに適用することで環境汚染や水質管理などに貢献することができる。また、血液の成分の分析を迅速に行うことで医療診断などへの応用が可能になるなど、関連する産業や社会への貢献は大きいものがある。
【先行技術文献】
【非特許文献】
【００２５】
【非特許文献１】K. Kneipp, H. Kneipp, I. Itzkan, R. R. Dasari, and M. S. Feld. Chem. Rev., 99, 2957-2975(1999).
【非特許文献２】M. Osawa, Bull. Chem. Soc. Jpn. 70, 2681-2880(1997).
【非特許文献３】J.-S. Wi, M. Rana, and T. Nagao, Nanoscale 4, 2847-2850(2012).
【非特許文献４】D. Weber, P. Albella, P. Alonso-Gonzalez, F. Neubrech,H. Gui, T. Nagao, R. Hillenbrand, J.Aizpurua, and A. Pucci, Optic Express 19, 15047-15061(2011).
【非特許文献５】C.V. Hoang, et al., JSAP-OSA Joint Symposia, Sept 11, 2012, 愛媛大学.
【図１】
2014092388.tif 000003
【図２】
2014092388.tif 000004
【図３】
2014092388.tif 000005
【図４】
2014092388.tif 000006
【図５】
2014092388.tif 000007
【図６】
2014092388.tif 000008
【図７】
2014092388.tif 000009
【図８】
2014092388.tif 000010